(57)【特許請求の範囲】
【請求項１】
受光部と発光部を備え筐体の内部に配置された赤外線モジュール、及び前記受光部と発光部に対向して前記筐体の側面に装着された赤外線を透過するカバー部を備える通信端末装置において、
前記カバー部を前記筐体のカバー部装着位置に支持する支持部を、前記筐体内に並置される前記受光部と前記発光部との中間位置に対向した位置であって前記筐体の受光部受光領域及び発光部発光領域に干渉しない位置に配置したことを特徴とする通信端末装置。
【請求項２】
前記カバー部は、前記支持部による前記中間位置に対向する位置と、前記受光部と前記発光部の並置方向の両端位置で、前記筐体に支持されることを特徴とする請求項１に記載の通信端末装置。
【請求項３】
前記カバー部は、前記支持部に支持された前記中間位置では、筐体内部側への移動が規制され、前記並置方向の両端位置では、筐体内部側及び筐体外部側への移動が規制されることを特徴とする請求項２に記載の通信端末装置。
【請求項４】
受光部と発光部を備え筐体の内部に配置された赤外線モジュール、及び前記受光部と発光部に対向して前記筐体の側面に装着された赤外線を透過するカバー部を備える通信端末装置において、
前記カバー部を前記筐体のカバー部装着位置に支持する支持部を、前記筐体内に並置される前記受光部と前記発光部に対向する位置には配置せず、前記受光部と前記発光部との中間位置に対向する位置に配置したことを特徴とする通信端末装置。
【発明の詳細な説明】
【技術分野】
【０００１】
本発明は、通信端末装置に関し、特に、赤外線通信機能を備えた通信端末装置に関する。
【背景技術】
【０００２】
従来、ＩｒＤＡ（Ｉｎｆｒａｒｅｄ  Ｄａｔａ  Ａｓｓｏｃｉａｔｉｏｎ）規格に基づいた赤外線を用いた通信手段は、家庭電気製品等のリモートコントロール装置から携帯電話機、パーソナルコンピュータに至るまで、広い範囲で利用されている。赤外線通信を行うための赤外線モジュール（ＩｒＤＡモジュール）は、通常、製品内部に搭載されており、製品のケースには、赤外線を送受信する窓部が開けられている。この窓部は、赤外帯域において透明な樹脂、例えば、ＰＣ（Ｐｏｌｙｃａｒｂｏｎａｔｅ）やＰＭＭＡ（Ｐｏｌｙｍｅｔｈｙｌｍｅｔｈａｃｒｙｌａｔｅ）からなるＩｒＤＡフィルタで塞がれている。
【０００３】
ＩｒＤＡフィルタのケースへの装着は、従来、ＩｒＤＡフィルタの全周に形成した樹脂製のフランジを、分割したケースの表側と裏側を組み合わせることによりＩｒＤＡを両ケースに嵌め込んで挟み込むことにより固定する方法が主流であった。このような従来の構造においては、十分な固定強度が得られると共に防塵性や防水性も兼ね備えている点がメリットとして上げられるが、分割したケースのそれぞれにＩｒＤＡフィルタに形成されたフランジを嵌め込む受け部を設ける必要があり、両ケースが組み合わせ方向（厚さ方向）に大きくなってしまうといったデメリットもある。
【０００４】
このような従来の赤外線通信フィルタの固定構造を有するものとして、「携帯通信端末」（特許文献１参照）がある。この「携帯通信端末」には、筐体の先端部に赤外線発信部を備えて、先端部に遮光部材を配置した構成が開示されている。筐体の先端部の端面に遮光部材を配置する場合、全周にわたってリブを設けて、このリブにより保持される構成であった。
【特許文献１】特開２００４−００７１４７号公報
【発明の開示】
【発明が解決しようとする課題】
【０００５】
上述した携帯電話機の日常における取り扱いは、例えばパーソナルコンピュータに比べると過酷であり、落下等の場合にもＩｒＤＡフィルタが破損せずに耐える必要がある。従って、ＩｒＤＡフィルタをケース内側の背面からリブを立てて受ける等により、耐衝撃性を確保しなくてはならない。ＩｒＤＡフィルタの背面を受けている部分は通常の樹脂により形成されているので、赤外線に対し不透明となるが、パーソナルコンピュータであればケースサイズが大きく、ＩｒＤＡフィルタの大きさを十分に取ることができるので、ＩｒＤＡモジュールの赤外線有効角度の点で特に問題はない。一方、携帯電話機などの場合、薄型化及び小型化が望まれており、設計初期のデザイン段階でＩｒＤＡフィルタの面積が決定されてしまう。
【０００６】
ＩｒＤＡモジュールは、ケース内に組み込まれた基板或いはＦＰＣ（Ｆｌｅｘｉｂｌｅ  Ｐｒｉｎｔｅｄ  Ｃｉｒｃｕｉｔ）の上面端部に、受発光部をケース外側に向けて実装され、通常は、受光部と発光部の２つの素子が１つのユニットとして形成されている。ＩｒＤＡフィルタは、ケースの側面に開けられた、赤外線を送受信する窓部に、両ケースの組み合わせ方向（厚さ方向）に形成されたフランジを、両ケースの窓部輪郭部分に形成された溝部に嵌め込んで装着される。
【０００７】
図７は、ＩｒＤＡモジュールの赤外線通信有効範囲の説明図である。図７に示すように、例えば基板５の上面に実装されたＩｒＤＡモジュール６の各素子は、受光面及び発光面をそれぞれ頂点側とする円錐形状の赤外線通信有効範囲、即ち、受光エリア及び発光エリアを持っている。
【０００８】
図８は、赤外線通信有効範囲が侵される状態を示す説明図である。図８に示すように、この受光エリア及び発光エリアに、例えばケース１が位置すると、ケース１は、赤外線通信有効範囲ａを侵す障害物となってしまい、赤外線通信有効範囲ａを狭めて赤外線通信を妨害することになる。このため、ＩｒＤＡフィルタ２は、受光エリア及び発光エリアを侵すことがないように装着されなければならず、また、両エリアにはケース側の構造物も配置することは出来ない。従って、ＩｒＤＡフィルタ２を設計する際は、受光エリア及び発光エリアを確保しつつケース１への十分な固定強度を備えることを考慮する必要がある。
【０００９】
ここで、従来の「携帯通信端末」（特許文献１参照）のような手法、即ち、ＩｒＤＡフィルタ２の背面側にケース１の支持部に支持されるためのリブを全周にわたって設けてしまうと、ケースの上下方向で当該ケース支持部によって赤外線通信有効範囲ａが遮られてしまう（図８参照）。
本発明の目的は、赤外線通信フィルタを受けるためのリブを設ける場合に、赤外線通信有効範囲を遮って赤外線通信を妨害することがない通信端末装置を提供することである。
【課題を解決するための手段】
【００１０】
上記目的を達成するため、本発明に係る通信端末装置は、受光部と発光部を備え筐体の内部に配置された赤外線モジュール、及び前記受光部と発光部に対向して前記筐体の側面に装着された赤外線を透過するカバー部を備える通信端末装置において、前記カバー部を前記筐体のカバー部装着位置に支持する支持部を、前記筐体内に並置される前記受光部と前記発光部との中間位置に対向した位置であって前記筐体の受光部受光領域及び発光部発光領域に干渉しない位置に配置したことを特徴としている。
また、本発明は、前記カバー部は、前記支持部による前記中間位置に対向する位置と、前記受光部と前記発光部の並置方向の両端位置で、前記筐体に支持されることを特徴とすることが好ましい。
【００１１】
また、本発明は、前記カバー部は、前記支持部に支持された前記中間位置では、筐体内部側への移動が規制され、前記並置方向の両端位置では、筐体内部側及び筐体外部側への移動が規制されることを特徴とすることが好ましい。
また、本発明は、受光部と発光部を備え筐体の内部に配置された赤外線モジュール、及び前記受光部と発光部に対向して前記筐体の側面に装着された赤外線を透過するカバー部を備える通信端末装置において、前記カバー部を前記筐体のカバー部装着位置に支持する支持部を、前記筐体内に並置される前記受光部と前記発光部に対向する位置には配置せず、前記受光部と前記発光部の中間位置に対向する位置に配置したことを特徴とすることが好ましい。
【発明の効果】
【００１２】
本発明によれば、赤外線モジュールの受光部と発光部とに対向して配置されるカバー部を支持するための支持部を設ける場合に、赤外線通信有効範囲を遮って赤外線通信を妨害することがない。
【発明を実施するための最良の形態】
【００１３】
以下、本発明を実施するための最良の形態について図面を参照して説明する。
図１は、本発明の一実施の形態に係る赤外線通信フィルタが装着された携帯情報端末装置（通信端末装置）の開状態を示し、（ａ）は操作キー面側の斜視図、（ｂ）は操作キー面の裏面側の斜視図である。図１に示すように、赤外線通信（ＩｒＤＡ）フィルタ（カバー部）１０は、携帯情報端末装置１１のＬＣＤ装着側ケース（筐体）１２の端部に装着されている。ここでは、携帯情報端末装置１１として、フォルダタイプ携帯電話機を例示する。
【００１４】
携帯情報端末装置１１は、第１筐体としてのＬＣＤ装着側ケース１２と、第２筐体としての操作キー装着側ケース１３を備えており、ＬＣＤ装着側ケース１２と操作キー装着側ケース１３は、それぞれの一端部がヒンジ部１４を介して連結されることにより、自在に相互開閉することができる。ＬＣＤ装着側ケース１２は、表側ケース１２ａと裏側ケース１２ｂを重ね合わせて構成され、表側ケース１２ａには、液晶表示装置（ＬＣＤ）１５が装着されている。操作キー装着側ケース１３は、表側ケース１３ａと裏側ケース１３ｂを重ね合わせて構成され、表側ケース１３ａには、操作キー１６が装着されている。
【００１５】
図２は、図１のＬＣＤ装着側ケース１２におけるＩｒＤＡフィルタ装着部周辺の分解構成を示す表側ケース側から見た説明図である。図３は、同じくＩｒＤＡフィルタ装着部周辺の分解構成を示す裏側ケース側から見た説明図である。図２及び図３に示すように、ＬＣＤ装着側ケース１２の裏側ケース１２ｂに組み込まれた基板１７（或いは、ＦＰＣ（Ｆｌｅｘｉｂｌｅ  Ｐｒｉｎｔｅｄ  Ｃｉｒｃｕｉｔ））の上面端部には、ＩｒＤＡモジュール１８が実装されている（図２，３参照）。ＩｒＤＡモジュール１８は、通常、受光部と発光部の２つの素子が１つのユニットとして形成されており、受発光面をケース外側に向けて配置される。
【００１６】
このＩｒＤＡモジュール１８の赤外線送受信方向の、表側ケース１２ａと裏側ケース１２ｂの端部には、両ケース１２ａ，１２ｂの合わせ面側が切り欠かれて凹部１９ａ，１９ｂが形成されている（図２，３参照）。両凹部１９ａ，１９ｂにより、両ケース１２ａ，１２ｂを重ね合わせて一体化した際に、ＩｒＤＡモジュール１８が送受信する赤外線の通過口（窓部）が形成される。この通過口は、赤外帯域において透明な樹脂、例えば、ＰＣ（Ｐｏｌｙｃａｒｂｏｎａｔｅ）やＰＭＭＡ（Ｐｏｌｙｍｅｔｈｙｌｍｅｔｈａｃｒｙｌａｔｅ）からなるＩｒＤＡフィルタ１０により塞がれる。
【００１７】
ＩｒＤＡフィルタ１０は、ＬＣＤ装着側ケース１２の端部外周形状に合わせて僅かに湾曲した横長板体状に形成されており（図２，３参照）、長手方向の両端には、表側ケース１２ａの裏面に一体形成により配設された受け部２０ａ，２０ｂにそれぞれ係止する係止部１０ａ，１０ｂが設けられている（図３参照）。つまり、ＩｒＤＡフィルタ１０には、フィルタ長手方向両端に形成された係止部１０ａ，１０ｂが、ＬＣＤ装着側ケース１２との係止部分として形成されている。
また、表側ケース１２ａには、両受け部２０ａ，２０ｂの間の略中央に、ＬＣＤ装着側ケース１２に装着したＩｒＤＡフィルタ１０のケース内側に位置する、補強リブ２１が設けられている（図３参照）。
【００１８】
図４は、ＩｒＤＡフィルタが装着された基板側から見た表側ケースの表面図である。図５は、図４におけるＩｒＤＡフィルタ装着部分の拡大図である。図４及び図５に示すように、表側ケース１２ａに装着されたＩｒＤＡフィルタ１０は、各係止部１０ａ，２０ｂが、ケース底面（表側ケース１２ａの裏面）に突設された円筒形状の両受け部２０ａ，２０ｂを貫通させて挟み込んでおり、フィルタ長手方向への移動が規制されるとともにＬＣＤ装着側ケース１２の長手方向（同ケース１２の内部方向及び外部方向（図５における上下方向））への移動が規制された状態に固定されている。同時に、ＩｒＤＡフィルタ１０は、フィルタの内側面には、補強リブ２１が当接している。
【００１９】
この補強リブ２１は、ＩｒＤＡモジュール１８の受光面及び発光面をそれぞれ頂点側とする円錐形状の赤外線通信有効範囲ａ１，ａ２（図５参照）を避ける位置、即ち、赤外線通信有効範囲ａ１，ａ２にかからない位置に配置されている。赤外線通信有効範囲ａ１，ａ２は、円錐形状に形成されるため、両者の間には、赤外線通信に影響しない僅かなスペースが必ず存在する。このスペースに補強リブ２１を配置することで、補強リブ２１が赤外線通信有効範囲ａ１，ａ２を侵す障害物になることはなく、ＩｒＤＡモジュール１８による赤外線通信を妨害することはない。
【００２０】
つまり、ＩｒＤＡフィルタ１０をフィルタ装着位置（カバー部装着位置）に支持する補強リブ（支持部）２１を、ケースの受光部受光領域及び発光部発光領域（赤外線通信有効範囲ａ１，ａ２）に干渉しない位置に、即ち、受光部と発光部に対向する位置には配置せず、受光部と発光部の中間位置に対向する位置に配置して、形成した。この補強リブ２１は、ＩｒＤＡモジュール１８が配置された支持部配置面（例えば、基板１７或いはＦＰＣ）に沿って並置された受光部と発光部の中間位置に対向して配置されている。
【００２１】
なお、受光素子及び発光素子の赤外線通信有効範囲ａ１，ａ２は、ＩｒＤＡモジュール１８の仕様や設計条件等により決定されるものであり、個々のＩｒＤＡモジュール１８により異なっている。このようなＩｒＤＡモジュール１８において、ＩｒＤＡフィルタ１０の厚み方向の幅は一定範囲確保する必要がある
ＩｒＤＡフィルタ１０は、表側ケース１２ａと裏側ケース１２ｂの何れかに仮固定した状態で組み込まれ、表側ケース１２ａと裏側ケース１２ｂを重ね合わせた状態で嵌め合わせることにより完全に固定される。
【００２２】
図１乃至図３に示すように、ＩｒＤＡフィルタ１０は、表側ケース１２ａと裏側ケース１２ｂからなるＬＣＤ装着側ケース１２の端部に装着されており、ＬＣＤ装着側ケース１２の外観形状の一部を形成すると共に、ＬＣＤ装着側ケース１２の端部から露出している。
図６は、図５のＸ−Ｘ線に沿う断面図である。図６に示すように、補強リブ２１は、柱状に形成されて表側ケース１２ａの底面（裏面）に突設されており、ケース外側に向けた外面部２１ａは、ＩｒＤＡフィルタ１０内側面に密着している。この補強リブ２１により、ＩｒＤＡフィルタ１０のケース内側への変位が規制され、ＩｒＤＡフィルタ１０のケース内部への移動が阻止される。
【００２３】
つまり、ＩｒＤＡフィルタ１０は、補強リブ２１による受光部と発光部の中間位置に対向する位置と、受光部と発光部の並置方向（フィルタ長手方向）の両端位置で、ケースに支持されており、補強リブ２１に支持された中間位置では、ケース内部側への移動が規制され、並置方向の両端位置では、ケース内部側及びケース外部側並びにフィルタ長手方向両端側への移動が規制される。
よって、ＩｒＤＡフィルタ１０は、ケース内側から補強リブ２１で保持されてケース内部側への移動が規制されているため、ＩｒＤＡフィルタ１０の全周にわたってフランジを形成する必要がなく、フィルタ厚み方向のスペースを有効活用することができる。
【００２４】
このように、ＩｒＤＡフィルタ１０は、ＬＣＤ装着側ケース１２との係止部分として、フィルタ全周に形成したフランジ状部ではなく、フィルタ長手方向両端に形成した係止部１０ａ，１０ｂを有し、更に、ケース１２は、ＩｒＤＡフィルタ１０をケース内側から保持する補強リブ２１を、通常使用しないスペース、即ち、赤外線通信有効範囲（受光部の受光領域と発光部の発光領域に干渉しない位置）に配置している。この構造により、赤外線通信有効範囲ａのロスを最小限に抑えながら、落下等による外部からの衝撃に対する耐久性を確保することが出来る。また、このような構造を有することで、これまでＩｒＤＡフィルタをケースに保持させるために当該フィルタの上下方向（ケースの厚み方向）に配設していたリブ及びこのリブを保持するためにケースに配設されていた保持部を削除（又は小型化）することができ、ＩｒＤＡフィルタ１０やＬＣＤ装着側ケース１２の厚みを減らすことが可能となり、ケースの薄型化、更には製品全体の薄型化及び小型化も実現することができる、加えて省スペース化も実現している。
【００２５】
即ち、ＩｒＤＡモジュール１８は、送信部と受信部に分かれていてそれぞれが個別に赤外線通信の有効角度を持つことから、それぞれの有効範囲の隙間にＩｒＤＡフィルタ１０を受け止める補強リブ２１を設けることで、薄型のケースにおいても十分な赤外線通信の有効角度を確保することができる。
このため、以下の効果を奏することが出来る。
ＩｒＤＡフィルタ１０の大きさが制限される場合でも、従来の構造に比べて、ＩｒＤＡフィルタ１０の有効範囲を多く確保することが出来る。また、ＩｒＤＡフィルタ１０の面積が小さくても本構造を用いることにより、デザイン的な自由度が向上する。更に、製品が薄型であっても、赤外線通信の有効範囲を侵すことなく、ケース空間の有効活用により、ＩｒＤＡフィルタ１０に十分な固定強度を確保することが出来る。
以上、図示例に基づき説明したが、この発明は上述の例に限定されるものではなく、特許請求の範囲の記載範囲内で適宜変更し得るものであり、例えばこの発明は、折り畳み式だけでなく水平回転式、２軸ヒンジ式、又はストレートタイプの携帯電話機にも適用でき、さらには携帯電話機以外の赤外線通信を行う通信端末装置にも適用することができる。
また、上述した実施形態では、フィルタを支持する支持部（受け部２０ａ，２０ｂ、補強リブ２１）が、ＬＣＤ装着側ケース１２の表側ケース１２ａに配設される構成としたが、これら支持部を表側ケース１２ａと裏側ケース１２ｂとの少なくとも一方に配設される構成とすればよい。
【図面の簡単な説明】
【００２６】
【図１】本発明の一実施の形態に係る赤外線通信フィルタが装着された携帯情報端末装置（通信端末装置）の開状態を示し、（ａ）は操作キー面側の斜視図、（ｂ）は操作キー面の裏面側の斜視図である。
【図２】図１のＬＣＤ装着側ケース１２におけるＩｒＤＡフィルタ装着部周辺の分解構成を示す表側ケース側から見た説明図である。
【図３】同じくＩｒＤＡフィルタ装着部周辺の分解構成を示す裏側ケース側から見た説明図である。
【図４】ＩｒＤＡフィルタが装着された基板側から見た表側ケースの表面図である。
【図５】図４におけるＩｒＤＡフィルタ装着部分の拡大図である。
【図６】図５のＸ−Ｘ線に沿う断面図である。
【図７】ＩｒＤＡモジュールの赤外線通信有効範囲の説明図である。
【図８】赤外線通信有効範囲が侵される状態を示す説明図である。
【符号の説明】
【００２７】
１０  赤外線通信フィルタ
１０ａ，１０ｂ  係止部
１１  携帯情報端末装置
１２  ＬＣＤ装着側ケース
１２ａ  表側ケース
１２ｂ  裏側ケース
１３  操作キー装着側ケース
１３ａ  表側ケース
１３ｂ  裏側ケース
１４  ヒンジ部
１５  液晶表示装置
１６  操作キー
１７  基板
１８  ＩｒＤＡモジュール
１９ａ，１９ｂ  凹部
２０ａ，２０ｂ  受け部
２１  補強リブ（支持部）
２１ａ  外面部
ａ１，ａ２  赤外線通信有効範囲
【図１】
0004568696.tif 000002
【図２】
0004568696.tif 000003
【図３】
0004568696.tif 000004
【図４】
0004568696.tif 000005
【図５】
0004568696.tif 000006
【図６】
0004568696.tif 000007
【図７】
0004568696.tif 000008
【図８】
0004568696.tif 000009